(57)【要約】【課題】下枠止水材が倒れたままの姿勢となることを防止して安定した起立を補助する開口部装置を提供する。【解決手段】上枠１１、下枠１２、及び縦枠１５が枠組みされた枠体１０と、枠体の枠組み内に配置される障子３０、３５と、下枠に上枠方向に突出するように配置され、下枠の長手方向に沿って延びる下枠止水材１７と、下枠と縦枠とにより形成される入隅部に配置される端部止水部材２０と、を備え、下枠止水材の少なくとも一端側における一方の見付け面が縦枠の見付け面に対向するように配置され、端部止水部材が下枠止水材の前記一端側における他方の見付け面に対向する面を有する保持部２３を備える。【選択図】図５
2014105531.tif 000002
【特許請求の範囲】
【請求項１】
上枠、下枠、及び縦枠が枠組みされた枠体と、
前記枠体の枠組み内に配置される障子と、
前記下枠に前記上枠方向に突出するように配置され、前記下枠の長手方向に沿って延びる下枠止水材と、
前記下枠と前記縦枠とにより形成される入隅部に配置される端部止水部材と、を備え、
前記下枠止水材の少なくとも一端側における一方の見付け面が前記縦枠の見付け面に対向するように配置され、
前記端部止水部材が前記下枠止水材の前記一端側における他方の見付け面に対向する面を有する保持部を備える、開口部装置。
【請求項２】
前記端部止水部材は、前記下枠に係合する部位と、前記縦枠に係合する部位とを有する請求項１に記載の開口部装置。
【請求項３】
前記端部止水部材の前記下枠に係合する部位、及び前記縦枠に係合する部位は突起であり、前記下枠及び前記縦枠には前記突起を挿入可能な穴が形成されており、
一方の突起が鉤状に形成されている、請求項２に記載の開口部装置。
【請求項４】
上枠、下枠、及び縦枠が枠組みされた枠体のうち、前記下枠と前記縦枠とにより形成される入隅部に配置され、前記下枠に具備される下枠止水材の端部を保持する端部止水部材であって、
前記下枠止水材の端部を前記縦枠の見付け面との間に挟むべき面を有する保持部を備える、端部止水部材。
【請求項５】
前記枠体に係合するために形成された、延びる方向が異なる少なくとも２つの突起を有する請求項４に記載の端部止水部材。
【請求項６】
前記突起のうち少なくとも１つが鉤状である請求項５に記載の端部止水部材。
【発明の詳細な説明】
【技術分野】
【０００１】
本発明は、開口部を通して隣接する部屋に水が浸入することを防止する端部止水部材、及び該端部止水部材を有する開口部装置に関する。
【背景技術】
【０００２】
近年、住宅や公共施設等の建物においていわゆるバリアフリー化が進められており、建物利用者の利便性、安全性が高められている。このバリアフリー化の１つとして隣接する一方の部屋と他方の部屋との床の高さを同じ、又は床の高さの差を小さく抑えた構造が提供されている。このような構造は浴室、及び該浴室に隣接する更衣室に対しても採用されている。
【０００３】
しかしながら、浴室及びこれに隣接する更衣室でバリアフリー構造を適用すると、両室間に段差がない又は段差が小さいので、浴室と更衣室との間に配置された開口部装置を超えて、浴室の床から更衣室の床へ水が浸入してしまう問題が生じた。
【０００４】
このような問題に対して、開口部装置の下枠に、該下枠から上方に突出するように下枠止水材を設置する構造がある。そして、特許文献１、２には、下枠止水材の両端部で縦枠に接する入隅部分に配置され、該入隅部分の止水性を向上する端部止水部材が開示されている。
【０００５】
特許文献１、２に記載の発明によれば、入隅部における止水性を向上するとともに、下枠止水材の起立を維持し、倒れ込みや取り付けずれを防止することができるとされている。
【先行技術文献】
【特許文献】
【０００６】
【特許文献１】特開２００７−１２６８９７号公報
【特許文献２】特開２００９−０６２７７７号公報
【発明の概要】
【発明が解決しようとする課題】
【０００７】
上記のようにバリアフリー化により浴室と更衣室との間の段差が小さくなったことから、人が下枠止水材を踏む機会が多くなり、下枠防止材が倒れたままとなって止水性が低下することが問題となる。従って、このような場合には下枠止水材が倒れたままの姿勢となることを防止することが重要である。しかしながら、開口部装置の構造によっては特許文献１、２に記載の技術では不十分な場合もあった。また、止水性をさらに高めるため下枠止水材の突出量を大きくしたときにはこの問題がさらに顕著に表れる。
【０００８】
そこで本発明は、下枠止水材が倒れたままの姿勢となることを防止して安定した起立を補助する開口部装置、端部止水部材を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、上枠（１１）、下枠（１２）、及び縦枠（１５）が枠組みされた枠体（１０）と、枠体の枠組み内に配置される障子（３０、３５）と、下枠に上枠方向に突出するように配置され、下枠の長手方向に沿って延びる下枠止水材（１７）と、下枠と縦枠とにより形成される入隅部に配置される端部止水部材（２０）と、を備え、下枠止水材の少なくとも一端側における一方の見付け面が縦枠の見付け面に対向するように配置され、端部止水部材が下枠止水材の前記一端側における他方の見付け面に対向する面を有する保持部（２３）を備える、開口部装置（１）である。
【００１１】
請求項２に記載の発明は、請求項１に記載の開口部装置（１）において、端部止水部材（２０）は、下枠（１２）に係合する部位（２５）と、縦枠に係合する部位（２６）とを有する。
【００１２】
請求項３に記載の発明は、請求項２に記載の開口部装置（１）において、端部止水部材（２０）の下枠（１２）に係合する部位、及び縦枠（１５）に係合する部位は突起（２５、２６）であり、下枠及び縦枠には突起を挿入可能な穴（１３ｇ、１５ｃ）が形成されており、一方の突起（２６）が鉤状に形成されている。
【００１３】
請求項４に記載の発明は、上枠（１１）、下枠（１２）、及び縦枠（１５）が枠組みされた枠体（１０）のうち、下枠と縦枠とにより形成される入隅部に配置され、下枠に具備される下枠止水材（１７）の端部を保持する端部止水部材（２０）であって、下枠止水材の端部を縦枠の見付け面との間に挟むべき面を有する保持部（２３）を備える、端部止水部材である。
【００１４】
請求項５に記載の発明は、請求項４に記載の端部止水部材（２０）において、枠体（１０）に係合するために形成された、延びる方向が異なる少なくとも２つの突起（２５、２６）を有する。
【００１５】
請求項６に記載の発明は、請求項５に記載の端部止水部材（２０）において、突起（２５、２６）のうち少なくとも１つが鉤状である。
【発明の効果】
【００１６】
本発明によれば、下枠止水材の一方側の見付け面が剛性が高い縦枠により保持される構造が可能なので、下枠止水材の起立を助け、下枠止水材が倒れたままの姿勢になることを従来よりも確実に防止することができる。
【図面の簡単な説明】
【００１７】
【図１】１つの形態に係る開口部装置１の正面図である。
【図２】図１のＩＩ−ＩＩで示した線に沿った水平方向の断面図である。
【図３】図１にＩＩＩ−ＩＩＩで示した線に沿った鉛直方向の断面図である。
【図４】図３のうち、下枠部分に注目した図である。
【図５】図５（ａ）は図４にＶで示した部位の拡大図、図５（ｂ）は図５（ａ）の分解図である。
【図６】下枠と縦枠との入隅部に注目した斜視図である。
【図７】図７（ａ）は端部止水部材の斜視図、図７（ｂ）は端部止水部材の他の斜視図、及び図７（ｃ）は端部止水部材の正面図である。
【図８】下枠と縦枠との入隅部に注目した他の斜視図である。
【発明を実施するための形態】
【００１８】
本発明の上記した作用及び利得は、次に説明する発明を実施するための形態から明らかにされる。以下、本発明を図面に示す実施形態に基づき説明する。なお、ここに示す各図では説明のため一部の部材を省略したり、部材の形状を誇張して表すことがある。
また、以下の説明では、開口部装置が建物開口部に設置された姿勢で、開口部装置により仕切られた部屋から開口部装置を見たときに上下となる方向を見付け方向上下、左右となる方向を見付け方向左右、仕切られた隣接する部屋間の内外方向を見込み方向と記載することがある。さらに、見付け方向左右及び見付け方向上下に平行である面を見付け面、並びに見込み方向に平行な面を見込み面と記載することがある。
【００１９】
図１は１つの形態に係る開口部装置１の正面図である。本形態では開口部装置１により浴室と更衣室とを仕切る場合について説明する。図１は浴室側から見た図である。本形態は、引き違いの２枚の障子３０、３５で開口部分１０ａを閉鎖可能とし、当該障子３０、３５を見付け方向左右に移動して戸袋部分１０ｂに収容することで開口部分１０ａを開放する、いわゆる引き戸式の開口部装置である。
図２は図１にＩＩ−ＩＩで示した水平方向矢視断面図、図３は図１にＩＩＩ−ＩＩＩで示した鉛直方向矢視断面図である。図３では２枚の障子３０、３５ともに断面で表している。図２、図３には併せて浴室側及び更衣室側となる方向を表している。
【００２０】
開口部装置１は、図１〜図３に表れているように、浴室と浴室外としての更衣室との間の建物開口部における躯体に固定された枠体１０と、該枠体１０の枠内に見付け方向左右に移動可能に設けられた引き違いの２枚の障子３０、３５が配置されている。
【００２１】
枠体１０は、上枠１１、下枠１２、縦枠１５、方立１６、下枠止水材１７、及び端部止水部材２０を有している。
【００２２】
上枠１１は、枠体１０の上枠を構成する長尺の部材で、図３に表れる断面を有して長手方向に延びるように形成されている。上枠１１は、その長手方向が建物開口部の上縁に沿って配置され、建物躯体に固定されている。
図３からわかるように、本形態の開口部装置１の上枠１１は、後述する障子３０、３５の上端に設けられた吊り車３３、３８が載置されて転動するレール１１ａ、１１ｂを備えている。レール１１ａとレール１１ｂとは見込み方向に並べて配列され、それぞれが上枠１１の長手方向に沿って見付け方向左右に延びるように形成されている。２つのレール１１ａ、１１ｂは、一方のレール１１ａが障子３０、他方のレール１１ｂが障子３５のためのレールである。
【００２３】
下枠１２は、下枠本体１３及びスロープ１４を具備して形成されている。
下枠本体１３は、枠体１０の下枠を構成する長尺の部材で、図３に表れる断面を有して長手方向に延びるように形成されている。下枠本体１３は、その長手方向が建物開口部の下縁に沿って配置され、建物躯体に固定されている。図４には、図３のうち下枠本体１３の周辺に注目した図を示した。
【００２４】
図３、図４からわかるように、下枠本体１３の上面側には、後述する障子３０、３５の下端に設けられたガイド片３２ａ、３７ａが挿入され、該ガイド片３２ａ、３７ａをガイドする溝であるガイド溝１３ａ、１３ｂが設けられている。ガイド溝１３ａとガイド溝１３ｂとは見込み方向に並べて配列され、それぞれが下枠本体１３の長手方向に沿って見付け方向左右に延びるように形成されている。２つのガイド溝１３ａ、１３ｂは、一方のガイド溝１３ａが障子３０、他方のガイド１３ｂが障子３５のためのガイド溝である。
【００２５】
また下枠本体１３には、浴室側にスロープ取付片１３ｃが設けられる。スロープ取付片１３ｃは、下枠本体１３の浴室側に配置された見付け方向上下の上方に向けて延びる片と見込み方向浴室側に延びる片とにより構成されている。ここに取り付けられるスロープ１４は図１、図２からわかるように開口部分１０ａにのみ設けられているので、スロープ取付片１３ｃも下枠本体１３のうち開口部分１０ａにのみ具備されていればよい。
【００２６】
一方、下枠本体１３の更衣室側には、下枠止水材取付溝１３ｄが設けらている。図５（ａ）には図４にＶで示した部位の拡大図を示し、図５（ｂ）には、図５（ａ）から下枠止水材１７及び端部止水部材２０を離隔した分解図を表した。
図５（ｂ）からわかるように、下枠止水材取付溝１３ｄは、浴室側の壁面に窪み１３ｅを有する溝状であり、この断面を有して下枠本体１３の長手方向に沿って見付け方向左右に全長に亘って延びている。
【００２７】
さらに、図５（ａ）、図５（ｂ）からわかるように、下枠止水材取付溝１３ｄの更衣室側壁を形成する片からは更衣室側に向かって見込み方向に延びる片１３ｆが設けられている。図６には、下枠本体１３と縦枠１５とが形成する一方側の入隅部を更衣室側から見た斜視図を示した。図６では、説明のため、端部止水部材２０を除いて表している。
図２、図５（ａ）、図５（ｂ）、及び図６からわかるように片１３ｆは、更衣室側に向かって見込み方向に延びるとともに、下枠本体１３の長手方向に沿って見付け方向左右の全長に亘って設けられている。
また、片１３ｆの見付け方向左右の両端には、図６に一方側が表れているように片１３ｆを貫通する穴である端部止水部材取付穴１３ｇが形成されている。図６には表れていないがこれとは反対側にも同様に端部止水部材取付穴１３ｇが形成されている。
【００２８】
下枠１２のスロープ１４は、図１乃至図４に表れているように、板状の部材であり、更衣室側の端部が下枠本体１３のスロープ取付片１３ｃに係止して取り付けられ、浴室側端部は浴室の床面に近づくように傾斜して配置される。これにより、スロープ１４が下枠本体１３の浴室側の縁部を覆い、下枠本体１３の上面と浴室の床との段差を滑らかに連結している。一方、スロープ１４の見付け方向左右は、図２からわかるように開口部分１０ａ全体に亘って延在する。
【００２９】
次に縦枠１５について説明する。縦枠１５は、枠体１０の縦枠を構成する長尺の部材で、図２に表れる断面を有して見付け方向上下を長手方向として延びるように形成されている。図１からわかるように、縦枠１５は左右に２つの設けられ、その長手方向が建物開口部の左右縁のそれぞれに沿って配置され、その端部が上枠１１の端部と下枠本体１３の端部とを渡すように取り付けられるとともに建物躯体にも固定されている。
本形態では、図６からわかるように縦枠１５の見込み面１５ａに下枠本体１３の端部が突き当てられるように組み合わされる。このとき見込み面１５ａと下枠本体１３の端部との間に板状のシール材が挟まれてもよい。
【００３０】
縦枠１５には、必要に応じて複数の片が見付け方向左右に延びるように設けられている。そのうちの１つとして、縦枠１５には、その見込み面１５ａ（図２、図６参照）から、片１５ｂが見付け方向左右のうち枠内側に延びるように設けられている。より詳しくは、片１５ｂは、図２〜図６に表れているように、上記した下枠止水材取付溝１３ｄの浴室側に隣接する位置に、見付け方向左右のうち枠内側に延びるように形成されている。片１５ｂは、図２からわかるように左右両方の縦枠１５にそれぞれに同様に設けられている。一方、片１５ｂは縦枠１５の長手方向に沿って見付け方向上下に延在している。
【００３１】
また、図６に表れているように、縦枠１５のうち下端部近傍には、上記した片１３ｆに設けられた端部止水部材取付穴１３ｇと概ね同じ見込み方向位置に、端部止水部材取付穴１５ｃが設けられている。
【００３２】
方立１６は、図１、図２からわかるように、図２に示した断面を有して見付け方向上下に延びる部材である。方立１６は２つの縦枠１５間に、該縦枠１５と概ね平行に配置され、上端が上枠１１に、下端が下枠本体１３に固定される。また、方立１６は図２に表れているように、上枠１１、下枠本体１３のうち、浴室側に寄せられてた位置に設置されている。
【００３３】
このように方立１６が２つの縦枠１５間に配置されることにより、上枠１１、下枠１２及び縦枠１５により囲まれた枠内が２つの部位に分割され、一方が開口部分１０ａ、他方が戸袋部分１０ｂとされている。戸袋部分１０ｂには上枠１１、下枠１２、方立１６及び縦枠１５で囲まれる枠内に面材であるパネル４０が固定されている。
【００３４】
下枠止水材１７は、図３、図４、図５（ａ）、図５（ｂ）にその断面形状が表れ、図２、図６に長手方向の形態が示されている。すなわち、下枠止水材１７は、図５（ａ）、図５（ｂ）に示したようにその断面において取付部１８と止水部１９とを有して構成されている。
取付部１８は上記した下枠本体１３の下枠止水材取付溝１３ｄに挿入されて下枠止水材１７を保持する機能を有する。また取付部１８には浴室側となる部位に突起１８ａが設けられている。取付部１８は下枠止水材１７を安定して保持する観点から硬質の樹脂やゴムにより形成されていることが好ましい。
止水部１９は取付部１８の上に配置され、下枠止水材１７が下枠止水材取付溝１３ｄに挿入された姿勢で下枠止水材取付溝１３ｄから上枠１１側に向けて上方に突出するように配置され、止水をする機能を有する部位である。止水部１９は図５（ｂ）等からわかるように、中空部１９ａを有する中空の断面形状を備えていることが好ましい。これにより、人が踏むなどして倒れても再び起立する性能を高めることができる。止水部１９は、人が踏むことや再び起立する必要がある観点から軟質の樹脂やゴムにより形成されることが好ましい。
【００３５】
一方、下枠止水材１７の長手方向は図２、図６に表れているように、その両端が２つの縦枠１５の見込み面１５ａ、又はその近くにまで達するように延在する。
【００３６】
このような下枠止水材１７は下枠本体１３の下枠止水材取付溝１３ｄに次のように取り付けられる。すなわち、図５（ｂ）に直線矢印で示したように、下枠止水材１７のうち取付部１８が、下枠本体１３の下枠止水材取付溝１３ｄの内側に挿入される。このとき、取付部１８の突起１８ａが下枠止水材取付溝１３ｄの窪み１３ｅ側となるように挿入される。これにより、突起１８ａが窪み１３ｅに係合してより強固に下枠止水材１７が下枠止水材取付溝１３ｄに保持される。
また、下枠止水材１７の長手方向については、図２、図６によく表れているように、下枠本体１３の概ね全長に亘って延在するように下枠本体１３に取り付けられる。このとき、下枠止水材１７の浴室側の面（見付け面）１９ｃのうち、下枠止水材１７の両端部のそれぞれが、縦枠１５の片１５ｂの更衣室側の面（見付け面）１５ｃに対向するように配置される。これにより後述するように下枠止水材１７の両端部を縦枠１５と端部止水部材２０とで挟むように配置することが可能となる。
【００３７】
端部止水部材２０は、下枠本体１３と縦枠１５とにより形成される入隅部の止水性を向上するとともに、起立すべき下枠止水材１７が倒れたままの姿勢となることを防止する機能を有する部品である。図７に端部止水部材２０の形状を表した。図７（ａ）は１つの斜視図、図７（ｂ）は図７（ａ）とは反対側からみた斜視図、図７（ｃ）は図７（ａ）に矢印ＶＩＩｃで示した方向から見た図である。
【００３８】
端部止水部材２０は、底部としての略矩形の底板２１、該底板２１の１つの辺から起立する係合部としての係合板２２、及び上記１つの辺に隣接する底板２１の他の辺から起立する保持部としての保持板２３を備えている。本形態では係合板２２と保持板２３とは連結している。また、係合板２２と保持板２３の上端のＬ字状である部位には底板２１とは反対側に向けて底板２１と平行な方向に突出する突出部２４が形成されている。
さらに、底板２１のうち係合板２２、保持板２３が立設する側とは反対側の面には下枠本体１３に係合する部位である第一係合突起２５が設けられ、係合板２２の面のうち底板２１、保持板２３とは反対側の面には縦枠１５に係合する部位である第二係合突起２６が備えられている。第二係合突起２６は図７（ｂ）、図７（ｃ）からわかるように係合板２２の面の法線方向に延びる突出部２６ａと、突出部２６ａの先端から係合板２２の面に沿って底板２１の方向に延びる係合部２６ｂとを有している。従って第二係合突起２６は鉤状に先端が引っ掛けることができるように形成されている。また、保持板２３のうち底板２１及び係合板２２とは反対側の面は下枠止水材１７の更衣室側の見付け面１９ｄに対向する面２０ａが形成されている。
【００３９】
端部止水部材２０は止水性、及び下枠止水材１７の保持の観点から硬質の樹脂又はゴムにより構成されていることが好ましい。
【００４０】
このような端部止水部材２０は、次のようにして配置される。図８には図６と同じ視点で端部止水部材２０が取り付けられた場面を示した。図８、及び図２〜図５からわかるように、端部止水部材２０は、下枠本体１３と縦枠１５とが形成する入隅部のうち、更衣室側に配置される。そのとき、底板２１が下枠本体１３の片１３ｆの上面に重ねられるとともに、第一係合突起２５が片１３ｆに設けられた端部止水部材取付穴１３ｇ（図６参照）に挿入されている。一方、係合板２２が縦枠１５の見込み面１５ａに対向するように配置される。このとき、第二係合突起２６の突出部２６ａが縦枠１５に設けられた端部止水部材取付穴１５ｃ（図６参照）を貫通するとともに、係合部２６ｂにより第二係合突起２６が端部止水部材取付穴１５ｃの縁に引っ掛かるように配置される。さらに、保持板２３は、下枠止水材１７の更衣室側の見付け面１９ｄの端部に対向するように位置付けられ、下枠止水材１７の端部を縦枠１５の片１５ｂの見付け面１５ｃとの間に挟むように配置される。このとき、端部止水部材２０の上部に設けられた突出部２４が下枠止水材１７の上端を覆う。
【００４１】
端部止水部材２０の取り付けは、先に第二係合突起２６を端部止水部材取付穴１５ｃに挿入する。この時点では第一係合突起２５は端部止水部材取付穴１３ｇには挿入されていない。次に端部止水部材２０を下方に移動させる。これにより第二係合突起２６が端部止水部材取付穴１５ｃに引っ掛かり、同時に第一係合突起２５が端部止水部材取付穴１３ｇに挿入される。
このように端部止水部材２０の構成により、簡易に端部止水部材２０を下枠本体１３及び縦枠１５の両方に係合することができる。
【００４２】
このような端部止水部材２０によれば、下枠止水材１７の端部が縦枠１５の片１５ｂの見付け面１５ｃと端部止水部材２０の見付け面２０ａとの間に挟まれるように配置されるので、いわゆる突き当てによる端面接触よりも止水性を向上させることができる。また、下枠止水材１７の一方側の見付け面１９ｃが端部止水部材２０ではなく、剛性が高い縦枠１５の見付け面１５ｃにより保持されているので、下枠止水材１７の起立を助け、下枠止水材１７が倒れたままの姿勢になることを従来よりも確実に防止することができる。
【００４３】
また、本形態の端部止水部材２０は、下枠本体１３及びこれに垂直に配置される縦枠１５の両方に係合しているので、端部止水部材２０の位置ずれを防止することが可能となる。
【００４４】
図１乃至図３に戻り、障子３０、３５について説明する。障子３０、３５はいわゆる内障子と外障子の違いに起因する構造の違いはあるものの、基本的な構造は概ね同じである。すなわち、障子３０、３５は面材としてのパネル３１、３６を有し、その外周を縁取るように框３２、３７が配置されている。框３２、３７の上部には吊り車３３、３８が上方に延びるように配置され、框３２、３７の下部にはガイド片３２ａ、３７ａが下方に延びるように設けられている。
【００４５】
このような障子３０は、上部に配置された吊り車３３が上枠１１のレール１１ａに載置され、下部に設けられたガイド片３２ａが下枠本体１３のガイド溝１３ａに挿入される。これにより障子３０は、枠体１０内のうち更衣室側において見付け方向左右に移動可能とされる。
一方、障子３５は、上部に配置された吊り車３８が上枠１１のレール１１ｂに載置され、下部に設けられたガイド片３７ａが下枠本体１３のガイド溝１３ｂに挿入される。これにより障子３５は、枠体１０内のうち障子３０より浴室側において見付け方向左右に移動可能とされる。
以上より、図１に示した視点で障子３０が左側、障子３５がその右側に配置され、開口部分１０ａを閉鎖することにより、障子３０、３５、及びパネル４０により建物開口部が閉鎖される。障子３０、３５を見付け方向左右の右側に移動することにより障子３０、３５を戸袋部分１０ｂ側に配置して見込み方向にパネル４０と重ねることにより、開口部分１０ａが開放される。
【符号の説明】
【００４６】
１  開口部装置
１０  枠体
１１  上枠
１２  下枠
１３  下枠本体
１５  縦枠
１６  方立
１７  下枠止水材
２０  端部止水部材
【図１】
2014105531.tif 000003
【図２】
2014105531.tif 000004
【図３】
2014105531.tif 000005
【図４】
2014105531.tif 000006
【図５】
2014105531.tif 000007
【図６】
2014105531.tif 000008
【図７】
2014105531.tif 000009
【図８】
2014105531.tif 000010